(57)【要約】【課題】発光素子の取付が簡単で、生産性が良く、安価な表示付き電子機器を提供すること。【解決手段】本発明の表示付き電子機器において、発光素子４ａが回路基板１に面実装によって取り付けられるため、その取付が簡単で、生産性が良く、安価なものが得られると共に、発光素子４ａからの光を導く導光板６の存在によって、表示位置への光の導光が簡単で、表示位置の融通性の高いものが得られる。【選択図】図１
2007219464.tif 000002
【特許請求の範囲】
【請求項１】
所望の電気回路を形成した回路基板と、この回路基板に取り付けられた発光素子と、この発光素子によって照光する導光板とを備え、前記発光素子は、前記回路基板に面実装されて取り付けられると共に、前記回路基板上に配置された前記導光板の端面は、前記発光素子と対向して配置され、前記発光素子の光が前記導光板の端面から前記導光板内に導入されるようにしたことを特徴とする表示付き電子機器。
【請求項２】
前記導光板は、第１の導光板部を有し、この第１の導光板部の前面には、ＬＣＤセルが配置され、前記第１の導光板部と、前記第１の導光板部の端面と対向する位置に配置された第１の前記発光素子とによって、前記ＬＣＤセルのバックライト部が形成されたことを特徴とする請求項１記載の表示付き電子機器。
【請求項３】
前記導光板は、前記第１の導光板部の一端から延びる第１の連結部に繋がる第２の導光板部を有し、この第２の導光板部の照光によって、第１の動作表示を行うようにしたことを特徴とする請求項２記載の表示付き電子機器。
【請求項４】
前記第２の導光板部の端面と対向する位置に配置された第２の前記発光素子を有し、前記第２の発光素子によって前記第２の導光板部を照光するようにしたことを特徴とする請求項３記載の表示付き電子機器。
【請求項５】
前記第１の連結部が前記第１の導光板部よりも細幅の板部で形成されたことを特徴とする請求項３、又は４記載の表示付き電子機器。
【請求項６】
前記ＬＣＤセルの前面に配置されたパネルを有し、このパネルは、前記ＬＣＤセル用の第１の表示窓と、前面方向に突出した前記第２の導光板部の先端部を囲む第２の表示窓を有したことを特徴とする請求項３から５の何れか１項に記載の表示付き電子機器。
【請求項７】
前記導光板は、前記第１の導光板部の他端から延びる第２の連結部に繋がる第３の導光板部を有し、この第３の導光板部の照光によって、第２の動作表示を行うようにしたことを特徴とする請求項３から５の何れか１項に記載の表示付き電子機器。
【請求項８】
前記第３の導光板部の端面と対向する位置に配置された第３の前記発光素子を有し、前記第３の発光素子によって前記第３導光板部を照光するようにしたことを特徴とする請求項７記載の表示付き電子機器。
【請求項９】
前記第２の連結部が前記第１の導光板部よりも細幅の板部で形成されたことを特徴とする請求項７、又は８記載の表示付き電子機器。
【請求項１０】
前記ＬＣＤセルの前面に配置されたパネルを有し、このパネルは、前記ＬＣＤセル用の第１の表示窓と、前面方向に突出した前記第２の導光板部の先端部を囲む第２の表示窓と、前面方向に突出した前記第３の導光板部の先端部を囲む第３の表示窓を有したことを特徴とする請求項７から９の何れか１項に記載の表示付き電子機器。
【発明の詳細な説明】
【技術分野】
【０００１】
本発明は、種々の電子機器に使用して好適な表示付き電子機器に関するものである。
【背景技術】
【０００２】
図４は従来の表示付き電子機器の要部断面図であり、次に、従来の表示付き電子機器の構成を図４に基づいて説明すると、所望の電気回路を形成した回路基板５１には、絶縁材からなる保持部材５２が取り付けられている。
【０００３】
ＬＥＤからなる発光素子５３は、発光部５４と、この発光部５４に接続されたＬ字状の導線５５とからなり、この発光素子５３は、発光部５４を保持部材５２の前面に露出した状態で、Ｌ字状の導線５５が保持部材５２の溝部５２ａ内で保持され、導線５５の端部が回路基板５１の電気回路に接続されて、従来の表示付き電子機器が形成されている（例えば、特許文献１参照）。
【特許文献１】実開昭６１−５７５４８号公報
【発明の開示】
【発明が解決しようとする課題】
【０００４】
しかし、従来の表示付き電子機器にあっては、発光素子５３が導線５５を有するため、導線５５の折り曲げ加工や、発光素子５３を保持するための保持部材５２を必要とするばかりか、発光素子５３の発光部５４は、表示位置の近傍にそれぞれ配置せねばならず、このため、発光部５４の表示位置に伴う発光素子５３の取付が面倒になるという問題がある。
【０００５】
本発明は、このような従来技術の実情に鑑みてなされたもので、その目的は、発光素子の取付が簡単で、生産性が良く、安価な表示付き電子機器を提供することにある。
【課題を解決するための手段】
【０００６】
上記の目的を達成するために、本発明は、所望の電気回路を形成した回路基板と、この回路基板に取り付けられた発光素子と、この発光素子によって照光する導光板とを備え、発光素子は、回路基板に面実装されて取り付けられると共に、回路基板上に配置された導光板の端面は、発光素子と対向して配置され、発光素子の光が導光板の端面から導光板内に導入されるようにしたことを特徴としている。
【０００７】
このように構成した本発明は、発光素子の面実装によって、その取付が簡単で、生産性が良く、安価なものが得られると共に、導光板の存在によって、表示位置への光の導光が簡単で、表示位置の融通性の高いものが得られる。
【０００８】
また、本発明は、上記発明において、導光板は、第１の導光板部を有し、この第１の導光板部の前面には、ＬＣＤセルが配置され、第１の導光板部と、第１の導光板部の端面と対向する位置に配置された第１の前記発光素子とによって、ＬＣＤセルのバックライト部が形成されたことを特徴としている。
【０００９】
このように構成した本発明は、第１の導光板部をＬＣＤセルのバックライト部にすることがでる上に、第１の導光板部の端面から第１の発光素子の光が導入されるため、第１の導光板部の照光を大きくできて、好適なバックライト部が形成できる。
【００１０】
また、本発明は、上記発明において、導光板は、第１の導光板部の一端から延びる第１の連結部に繋がる第２の導光板部を有し、この第２の導光板部の照光によって、第１の動作表示を行うようにしたことを特徴としている。
【００１１】
このように構成した本発明は、バックライト部を形成する第１の導光板部と第１の動作表示を行う第２の導光板部が一体に形成できて、部品点数が少なく、安価で、組立性の良好なものが得られる。
【００１２】
また、本発明は、上記発明において、第２の導光板部の端面と対向する位置に配置された第２の発光素子を有し、第２の発光素子によって第２の導光板部を照光するようにしたことを特徴としている。
【００１３】
このように構成した本発明は、第２の発光素子によって、第２の導光板部を照光することができて、第２の導光板部による第１の動作表示の鮮明がものが得られる。
【００１４】
また、本発明は、上記発明において、第１の連結部が第１の導光板部よりも細幅の板部で形成されたことを特徴としている。
【００１５】
このように構成した本発明は、第１、第２の導光板部間の光の漏れの小さいものが得られる。
【００１６】
また、本発明は、上記発明において、ＬＣＤセルの前面に配置されたパネルを有し、このパネルは、ＬＣＤセル用の第１の表示窓と、前面方向に突出した第２の導光板部の先端部を囲む第２の表示窓を有したことを特徴としている。
【００１７】
このように構成した本発明は、前面方向に突出した第２の表示窓の存在によって、第１，第２の表示窓を区分できて、表示の確実なものが得られる。
【００１８】
また、本発明は、上記発明において、導光板は、第１の導光板部の他端から延びる第２の連結部に繋がる第３の導光板部を有し、この第３の導光板部の照光によって、第２の動作表示を行うようにしたことを特徴としている。
【００１９】
このように構成した本発明は、バックライト部を形成する第１の導光板部と第１の動作表示を行う第２の導光板部と第２の動作表示を行う第３の導光板部が一体に形成できて、部品点数が少なく、安価で、組立性の良好なものが得られる。
【００２０】
また、本発明は、上記発明において、第３の導光板部の端面と対向する位置に配置された第３の発光素子を有し、第３の発光素子によって第３導光板部を照光するようにしたことを特徴としている。
【００２１】
このように構成した本発明は、第３の発光素子によって、第３の導光板部を照光することができて、第３の導光板部による第２の動作表示の鮮明がものが得られる。
【００２２】
また、本発明は、上記発明において、第２の連結部が第１の導光板部よりも細幅の板部で形成されたことを特徴としている。
【００２３】
このように構成した本発明は、第１、第３の導光板部間の光の漏れの小さいものが得られる。
【００２４】
また、本発明は、上記発明において、ＬＣＤセルの前面に配置されたパネルを有し、このパネルは、ＬＣＤセル用の第１の表示窓と、前面方向に突出した第２の導光板部の先端部を囲む第２の表示窓と、前面方向に突出した第３の導光板部の先端部を囲む第３の表示窓を有したことを特徴としている。
【００２５】
このように構成した本発明は、前面方向に突出した第２、第３の表示窓の存在によって、第１，第２、第３の表示窓を区分できて、表示の確実なものが得られる。
【発明の効果】
【００２６】
本発明は、発光素子の面実装によって、その取付が簡単で、生産性が良く、安価なものが得られると共に、導光板の存在によって、表示位置への光の導光が簡単で、表示位置の融通性の高いものが得られる。
【発明を実施するための最良の形態】
【００２７】
発明の実施の形態について図面を参照して説明すると、図１は本発明の表示付き電子機器に係る要部の平面図、図２は本発明の表示付き電子機器に係り、裏面から見た要部断面図、図３は本発明の表示付き電子機器に係る導光板の斜視図である。
【００２８】
次に、本発明の表示付き電子機器に係る構成を図１〜図３に基づいて説明すると、回路基板１には、配線パターン２と、ドライバーＩＣやコンデンサ、抵抗等の種々の電子部品３が搭載されて、後述するＬＣＤセル５の駆動回路等の所望の電気回路が形成されている。
【００２９】
また、回路基板１には、配線パターン２に接続された状態で、一列状態に面実装されたＬＥＤからなる複数の第１の発光素子４ａと、この第１の発光素子４ａの一端側から前方に位置して面実装されたＬＥＤからなる第２の発光素子４ｂと、第１の発光素子４ａの他端側から前方に位置して面実装されたＬＥＤからなる第３の発光素子４ｃを有する。
【００３０】
更に、回路基板１には、第１の発光素子４ａよりも前方の位置に直立状態で配置されたＬＣＤセル５を有し、このＬＣＤセル５は、配線パターン２に接続されて、電気回路によって駆動されるようになっている。
【００３１】
導光板６は、透明なアクリル樹脂等の成形品によって形成され、中央部に位置する四角形の第１の導光板部７と、この第１の導光板部７の両側に位置し、第１の導光板部７の下部側に位置する細幅の板部からなる第１，第２の連結部８ａ、８ｂによって連結された四角柱状の第１，第２の台座部９ａ、９ｂを有する。
【００３２】
また、導光板６は、第１の台座部９ａに連結され、第１の導光板部７よりも前方に突出した扇状の第２の導光板部１０と、第２の台座部９ｂに連結され、第１の導光板部７よりも前方に突出した扇状の第３の導光板部１１と、第１，第２，第３の導光板部７，１０，１１の下部側に設けられた凹部１２を有する。
【００３３】
即ち、第１，第２の連結部８ａ、８ｂは、第１の導光板部７と第１，第２の台座部９ａ、９ｂとの間に設けられたスリット１３によって、第１の導光板部７よりも細幅の板部によって形成されると共に、第２，第３の導光板部１０，１１は、第１，第２の連結部８ａ、８ｂと第１，第２の台座部９ａ、９ｂを介して第１の導光板部７に連結されている。
【００３４】
このような導光板６は、ＬＣＤセル５の後部に第１の導光板部７を配置し、回路基板１に直立した状態で、第１，第２の台座部９ａ、９ｂを回路基板１上に載置して、第１，第２の台座部９ａ、９ｂの位置でネジ止め等によって回路基板１に取り付けられる。
【００３５】
この時、凹部１２内には、第１，第２，第３の発光素子４ａ、４ｂ、４ｃが位置し、第１の発光素子４ａが第１の導光板部７の下端面と対向し、また、第２の発光素子４ｂが第２の導光板部１０の下端面と対向し、更に、第２の発光素子４ｃが第３の導光板部１１の下端面と対向して、それぞれの第１，第２，第３の発光素子４ａ、４ｂ、４ｃの光が第１，第２，第３の導光板部７，１０，１１に導入されるようになっている。
【００３６】
パネル１４は、透明な樹脂の成形品からなり、板状の第１の表示窓１５と、この第１の表示窓１５の両側に設けられ、第１の表示窓１５よりも前方に突出した丸みのある第２，第３の表示窓１６，１７と、第２，第３の表示窓１６，１７から後方に延びる壁部１８を有する。
【００３７】
そして、このパネル１４は、回路基板１を内部に収納した状態で、ＬＣＤセル５と導光板６の前面に配置され、第１，第２，第３の表示窓１５，１６，１７のそれぞれが第１，第２，第３の導光板部７，１０，１１の前面に位置して配置されると共に、第２，第３の表示窓１６，１７のそれぞれの内部には、第２，第３の導光板部１０，１１の先端部が配置された状態となって、本発明の表示付き電子機器が形成されている。
【００３８】
次に、このような構成を有する表示付き電子機器の動作を説明すると、例えば、電子機器の電源がＯＦＦからＯＮに切り換えられると、第２の発光素子４ｂが点灯して、第２の発光素子４ｂの光が端面側から第２の導光板部１０に導入されて、第２の導光板部１０の先端部が照光し、第２の表示窓１６を通して第２の導光板部１０の表示を識別することができる。
【００３９】
即ち、例えば、電源のＯＮ、ＯＦＦ等の第１の動作表示が第２の発光素子４ｂと第２の導光板部１０によって行われるようになっている。
【００４０】
また、電源がＯＮ状態になると、複数の第１の発光素子４ａが点灯して、端面側から第１の導光板部７に導入されて、第１の導光板部７が照光し、この第１の導光板部７が照光によって、ＬＣＤセル５の背面が照光され、ＬＣＤセル５のバックライト部が形成されている。
【００４１】
そして、例えば、電子機器のＬＣＤセル５の使用形態をナビゲーションからテレビに切り換えると、ＬＣＤセル５がテレビに切り換えられると共に、第３の発光素子４ｃが点灯して、第３の発光素子４ｃの光が端面側から第３の導光板部１１に導入されて、第３の導光板部１１の先端部が照光し、第３の表示窓１７を通して第３の導光板部１１の表示を識別することができる。
【００４２】
即ち、例えば、ナビゲーション、テレビ等の第２の動作表示が第３の発光素子４ｃと第３の導光板部１１によって行われるようになっている。
【００４３】
このように、第１の導光板部７によって、ＬＣＤセル５のバックライト部としての照光を行うと共に、第２，第３の導光板部１０，１１によって、電源やＬＣＤセル５の切り換え等の第１，第２の動作表示を行うようになっている。
【図面の簡単な説明】
【００４４】
【図１】本発明の表示付き電子機器に係る要部の平面図である。
【図２】本発明の表示付き電子機器に係るり、裏面から見た要部断面図である。
【図３】本発明の表示付き電子機器に係る導光板の斜視図である。
【図４】従来の表示付き電子機器の要部断面図である。
【符号の説明】
【００４５】
１  回路基板
２  配線パターン
３  電子部品
４ａ  第１の発光素子
４ｂ  第２の発光素子
４ｃ  第３の発光素子
５  ＬＣＤセル
６  導光板
７  第１の導光板部
８ａ  第１の連結部
８ｂ  第２の連結部
９ａ  第１の台座部
９ｂ  第２の台座部
１０  第２の導光板部
１１  第３の導光板部
１２  凹部
１３  スリット
１４  パネル
１５  第１の表示窓
１６  第２の表示窓
１７  第３の表示窓
１８  壁部
【図１】
2007219464.tif 000003
【図２】
2007219464.tif 000004
【図３】
2007219464.tif 000005
【図４】
2007219464.tif 000006